(57)【要約】      （修正有）【課題】耳たぶからの脱落を防止でき、挿入ピンの先端部に装飾を施すことが可能なピアスタイプの装身具を提供する。【解決手段】装身具は、耳たぶに形成された穿孔に挿入され、先端部が球状に形成されたフック形状の挿入ピン１０と、挿入ピンの先端部に着脱自在に取り付けられる第１装飾体２０と、挿入ピンの後端部に取り付けられる第２装飾体と、を備え、第１装飾体２０は、真珠からなる本体部２２と、本体部の表面の一部から中心方向に直線状に延びる円柱状の有底の第１孔部と、第１孔部の底面から、第１孔部より小径に形成され、挿入ピンの先端部１２が収納可能な第２孔部と、第１孔部の内部に収納され、内径が挿入ピンの先端部の径よりも小さいゴム管２４と、第１孔部の開口部に装着され、挿入ピンの先端部が挿入可能でかつゴム管の移動を規制するフランジ状の止め金具２６と、を備える。【選択図】図６
0003198061.tif 000002
【実用新案登録請求の範囲】
【請求項１】
耳たぶに形成された穿孔に挿入され、先端部が球状に形成されたフック形状の挿入ピンと、
当該挿入ピンの先端部に着脱自在に取り付けられる第１装飾体と、
前記挿入ピンの後端部に取り付けられる第２装飾体と、を備え、
前記第１装飾体は、
球状の本体と、
当該本体の表面の一部から中心方向に直線状に延びる円柱状の有底の第１孔部と、
当該第１孔部の底面から、前記第１孔部と同軸でかつ前記第１孔部より小径に形成され、前記挿入ピンの先端部が収納可能な第２孔部と、
前記第１孔部の内部に収納され、内径が前記挿入ピンの先端部の径よりも小さいゴム管と、
前記第１孔部の開口部に装着され、前記挿入ピンの先端部が挿入可能でかつ前記ゴム管の移動を規制するフランジ状の止め金具と、を備えたことを特徴とする装身具。
【請求項２】
前記本体は、真珠からなることを特徴とする請求項１記載の装身具。
【請求項３】
前記ゴム管は、シリコーンゴムからなり、
前記止め金具は、貴金属からなることを特徴とする請求項１又は２記載の装身具。
【考案の詳細な説明】
【技術分野】
【０００１】
本考案は、ピアス等、人体の一部に形成した穿孔に取り付ける装身具に関する。
【背景技術】
【０００２】
従来より、ピアス等の装身具は、耳たぶに予め形成した穿孔により保持されるように構成されている。一般的なピアスでは、一端に装飾体が設けられている棒状部材からなるポストを穿穴に挿入し、この穿穴より突出するポストの先端をキャッチに嵌め込んで使用される。これに対していわゆるアメリカンピアスに代表されるフックピアスでは、フック形状による留め金具を耳の穿穴に引っ掛けて使用される。
【０００３】
ところで、ピアス等の装身具においては、耳たぶからピアスが落下しないような工夫が望まれている。フックピアスの場合には、棒状のポストを穿穴に挿入する一般的なピアスよりも、耳たぶから脱落する可能性が少ない。しかし、フックピアスであっても耳たぶから脱落することはあり得る。そこで、従来、特許文献１には、フックピアスに関して、脱落を防止する工夫が提案されている。
【先行技術文献】
【特許文献】
【０００４】
実用新案登録第３１６３０６２号公報
【考案の概要】
【考案が解決しようとする課題】
【０００５】
アメリカンピアスは、耳たぶより垂れ下がったチェーンが使用者の挙動によって揺れることにより、装飾効果が高められる。しかし、アメリカンピアスにおいては、例えば、チェーンが引っ掛かることによって耳たぶから脱落するおそれがある。
【０００６】
このため、フックピアスにおいても、耳たぶからの脱落を防止する更なる工夫が望まれる。しかも、従来に比して一段と装飾効果を向上することが望まれる。
【０００７】
本考案は、このような課題を解決し、フックピアスに関して、従来に比して脱落を低減できるようにし、さらにフックの形状を有効に利用して装飾性を向上することができる装身具を提供することを目的とする。
【課題を解決するための手段】
【０００８】
前記目的を達成するため、本考案は次に記載する構成を備えている。
【０００９】
（１）  耳たぶに形成された穿孔に挿入され、先端部が球状に形成されたフック形状の挿入ピンと、当該挿入ピンの先端部に着脱自在に取り付けられる第１装飾体と、前記挿入ピンの後端部に取り付けられる第２装飾体と、を備え、前記第１装飾体は、球状の本体と、当該本体の表面の一部から中心方向に直線状に延びる円柱状の有底の第１孔部と、当該第１孔部の底面から、前記第１孔部と同軸でかつ前記第１孔部より小径に形成され、前記挿入ピンの先端部が収納可能な第２孔部と、前記第１孔部の内部に収納され、内径が前記挿入ピンの先端部の径よりも小さいゴム管と、前記第１孔部の開口部に装着され、前記挿入ピンの先端部が挿入可能でかつ前記ゴム管の移動を規制するフランジ状の止め金具と、を備えたことを特徴とする装身具。
【００１０】
（１）によれば、例えば、耳たぶに形成された穿孔に対して、挿入ピンを耳たぶの裏側から挿入し、挿入ピンの先端部に第１装飾体を取り付けることにより、挿入ピンの脱落を防止するとともに、挿入ピンの先端部に装飾を施すことが可能になる。これにより、耳たぶに配置された第１装飾体と耳たぶから垂下した第２装飾体と、による新たな美観をもたらすことが可能になる。
【００１１】
（２）  （１）によれば、前記本体は、真珠からなることを特徴とする装身具。
【００１２】
（２）によれば、第１装飾体の本体を真珠とすることにより、耳たぶに固定された真珠の下方で第２装飾体が揺れることによる新たな美観をもたらすことが可能になる。
【００１３】
（３）  （１）、（２）によれば、前記ゴム管は、シリコーンゴムからなり、前記止め金具は、貴金属からなることを特徴とする装身具。
【００１４】
（３）によれば、ゴム管がシリコーンゴムからなるため、耐久性に優れ、繰り返しの使用による変形が少なくなる。また、止め金具が金、銀またはプラチナなどの貴金属からなるため、新たな装飾性を付与することが可能になる。
【考案の効果】
【００１５】
本考案によれば、挿入ピンの脱落を防止するとともに、挿入ピンの先端部に装飾を施すことが可能になるため、第１装飾体と耳たぶから垂下した第２装飾体とによる新たな美観をもたらすことが可能な装飾具を提供することが可能になる。
【図面の簡単な説明】
【００１６】
【図１】本考案の一実施形態における装身具１の外観を示す斜視図である。
【図２】本考案の一実施形態における装身具１の構成部品を示す説明図である。
【図３】第１装飾体２０の構成部品を示す斜視図である。
【図４】本体部２２の内部構造を示す断面図である。
【図５】第１装飾体２０の内部構成を示す断面図である。
【図６】挿入ピン１０の先端部に第１装飾体２０が装着された状態を示す断面図である。
【図７】装身具１を耳たぶに取り付けた状態を示す説明図である。
【図８】本考案の他の実施形態における装身具１の外観を示す斜視図である。
【考案を実施するための形態】
【００１７】
以下、本考案の一実施形態について、図面を参照しながら詳細に説明する。
図１は、本考案の一実施形態における装身具１の外観を示す斜視図である。図２は、本考案の一実施形態における装身具１の構成部品を示す説明図である。
【００１８】
装身具１は、アメリカンピアスと称されるアクセサリーであり、挿入ピン１０と、第１装飾体２０と、第２装飾体３０と、を備えている。
【００１９】
挿入ピン１０は、耳たぶに形成された穿孔に挿入されるフック形状の部材ある。挿入ピン１０は、先端に形成された球形部１２と、球形部１２から直線状に延びる棒状部１４と、棒状部１４から弧状に延びる第１弧状部１６と、第１弧状部１６から弧状に延びる第２弧状部１８と、によって構成されている。
【００２０】
第１弧状部１６と第２弧状部１８との境界部分には曲げが施されている。このため、挿入ピン１０が耳たぶに形成された穿孔に挿入された場合、第１弧状部１６まで耳たぶの穿孔に挿通可能であるが、第２弧状部１８まで耳たぶの穿孔に挿通されることは境界部分の曲げによって規制される。また、挿入ピン１０が耳たぶに形成された穿孔に挿入された場合、第２弧状部１８の端部、すなわち挿入ピン１０の後端部は、耳たぶの直下付近に位置付けられる。
【００２１】
第１装飾体２０は、挿入ピン１０の先端部に取り付けられる球状の装飾部材からなり、第２装飾体３０は、挿入ピン１０の後端部に取り付けられるチェーン状の装飾部材からなる。
【００２２】
図３は、第１装飾体２０の構成部品を示す斜視図であり、図４は、本体部２２の内部構造を示す断面図である。第１装飾体２０は、本体部２２と、ゴム管２４と、止め金具２６と、によって構成されている。
【００２３】
本体部２２は、球形の真珠に孔部２２ａを形成したものである。孔部２２ａは、図４に示すように、本体部２２の表面の一部から中心方向に直線状に延びる円柱状の有底の第１孔部２２ｂと、第１孔部２２ｂの底面から、第１孔部２２ｂと同軸に延びる円柱状の有底の第２孔部２２ｃと、からなる。第１孔部２２ｂの軸方向の長さは、挿入ピン１０の棒状部１４の長さより短く設定されている。
【００２４】
第２孔部２２ｃは、第１孔部２２ｂより小径に形成され、球形部１２が収納可能な大きさに設定されている。第２孔部２２ｃの底面は、すり鉢状に形成されている。なお、本実施形態によれば、第２孔部２２ｃは、真珠の中心を越えた位置に形成されている。
【００２５】
ゴム管２４は、シリコーンゴムからなる円柱体の中央部に中央孔２４ａが形成されたものであり、第１孔部２２ｂの内部に収納される。中央孔２４ａの直径は、球形部１２の直径よりも小さく設定されており、ゴム管２４の外側の直径は、第１孔部２２ｂの直径と略同じであり、ゴム管２４が第１孔部２２ｂの内部に挿入できるように設定されている。このため、ゴム管２４が第１孔部２２ｂの内部に収納された場合に、第１孔部２２ｂの底面が、ゴム管２４先端のリング面の外周部分を囲むように当接する。
【００２６】
止め金具２６は、金によって構成されたフランジ形状の部材であり、第１孔部２２ｂの開口部に嵌合する円筒部２６ａと、円筒部２６ａの一端部から鍔状に延在するリング部２６ｂと、によって構成されている。円筒部２６ａの他端部は、中心軸に向かって縮径するようにテーパ状に形成されている。円筒部２６ａの他端側の内径は、球形部１２の直径よりも大きく設定されており、円筒部２６ａの外径は、孔部２２ａに嵌挿できるように設定されている。リング部２６ｂは、第１孔部２２ｂの開口縁部に当接する。止め金具２６が第１孔部２２ｂに嵌挿された場合、止め金具２６は第１装飾体２０に固定される。
【００２７】
図５は、第１装飾体２０の内部構成を示す断面図である。本体部２２の孔部２２ａにゴム管２４が挿入され、更に止め金具２６が嵌挿されることにより、図５に示すように、第１孔部２２ｂの内部にゴム管２４が収納される。この時、ゴム管２４の中央孔２４ａと止め金具２６の円筒部２６ａによって構成された貫通孔が、第２孔部２２ｃに連通する。
【００２８】
図６は、挿入ピン１０の先端部に第１装飾体２０が装着された状態を示す断面図である。挿入ピン１０の先端部に第１装飾体２０を装着する際には、使用者が止め金具２６の内部に挿入ピン１０の先端部すなわち球形部１２を挿入し、第１装飾体２０を球形部１２側に押し込む。これにより、球形部１２は、円筒部２６ａの他端部のテーパ面によって中央孔２４ａによってゴム管２４の中央孔２４ａにガイドされ、中央孔２４ａに進入する。そして、球形部１２は、ゴム管２４の内側壁面を弾性変形させながら中央孔２４ａを通過して、第２孔部２２ｃに到達する。この時点で、ゴム管２４が棒状部１４を包むように密着するとともに、球形部１２がすり鉢状の底面に当接した状態で第２孔部２２ｃに保持される。このように、挿入ピン１０の先端部が第１装飾体２０に保持される。言い換えれば、第１装飾体２０は、キャッチとしての機能を果たすようになる。
【００２９】
なお、挿入ピン１０のから第１装飾体２０を取り外する際には、第１装飾体２０を挿入ピン１０から、孔部２２ａに沿って引っ張ることにより、第２孔部２２ｃ内の球形部１２を第１装飾体２０の外部に抜き取ることが可能である。
【００３０】
図７は、装身具１を耳たぶに取り付けた状態を示す説明図である。
装身具１を耳たぶに取り付ける際には、まず、使用者は、挿入ピン１０の球形部１２を、耳たぶの裏側から耳たぶの穿孔に対向させて、この穿孔に球形部１２を挿入し、耳たぶの表側に移動した球形部１２に第１装飾体２０を装着する。そして、使用者は、第１装飾体２０及び第２装飾体３０の位置を調整することにより、装身具１の取り付けが完了する。
【００３１】
装身具１が耳たぶに取り付けられた場合、図７に示すように、耳たぶの表側に真珠が配置され、耳たぶの直下から装飾用のチェーンが配置される。これにより、使用者を正面から見た者は、真珠の直下からチェーンが延びているように見える。
【００３２】
以上説明したように構成された本実施形態によれば、固定された真珠の下方でチェーンが揺れるという、新たな美観をもたらすことが可能になる。また、第１装飾体２０は、装飾としての機能以外に、キャッチとしての機能を果たすようになる。また、円筒部２６ａの他端部のテーパ面が形成されており、このテーパ面によって球形部１２がゴム管２４の中央孔２４ａにガイドされるため、挿入ピン１０に対する第１装飾体２０の装着が容易になる。
【００３３】
ゴム管２４がシリコーンゴムからなるため、耐久性に優れ、繰り返しの使用による変形が少なくなる。また、止め金具２６が金からなるため、新たな装飾性を付与することが可能になる。なお、本実施形態においては、止め金具２６が金によって構成されているが、他の材料を用いてもよい。例えば、銀やプラチナなどの貴金属を用いてもよい。
【００３４】
以上、本考案の実施形態について説明したが、本考案の実施形態は、上述した実施形態に限るものではない。例えば、上述した実施形態において、挿入ピン１０における球形部１２及び棒状部１４以外の部分の構成、及び第２装飾体３０については適宜変更可能である。例えば、図８に示すように、挿入ピン１０をπ形に形成して、挿入ピン１０の一端部に第１装飾体２０を着脱自在に装着し、他端部に、例えば真珠を含む第２装飾体３０を固定してもよい。
【００３５】
また、上述した実施形態においては、耳たぶの裏側から穿孔に挿入ピン１０を挿入しているが、耳たぶの表側から穿孔に挿入ピン１０を挿入し、耳たぶの表側に第１装飾体２０を配置してもよい。
【符号の説明】
【００３６】
１  装身具
１０  挿入ピン
１２  球形部
１４  棒状部
１６  第１弧状部
１８  第２弧状部
２０  第１装飾体
２２  本体部
２２ａ  孔部
２２ｂ  第１孔部
２２ｃ  第２孔部
２４  ゴム管
２４ａ  中央孔
２６  止め金具
２６ａ  円筒部
２６ｂ  リング部
３０  第２装飾体
【図１】
0003198061.tif 000003
【図２】
0003198061.tif 000004
【図３】
0003198061.tif 000005
【図４】
0003198061.tif 000006
【図５】
0003198061.tif 000007
【図６】
0003198061.tif 000008
【図７】
0003198061.tif 000009
【図８】
0003198061.tif 000010